(57)【要約】【課題】嵩張る物品が収容された複数の包装袋を片手で持つ場合でも、指への負担が少ない包装袋を提供する。【解決手段】嵩張る物品を収容する本体部と、前記本体部に設けられた取手部とを有する包装袋であって、前記取手部の中央部に設けられた第１の指掛部と、前記取手部の両端部の少なくとも一方の端部に設けられた第２の指掛部とを備える。【選択図】図１
2018052558.tif 000002
【特許請求の範囲】
【請求項１】
嵩張る物品を収容する本体部と、前記本体部に設けられた取手部とを有する包装袋であって、
前記取手部の中央部に設けられた第１の指掛部と、
前記取手部の両端部の少なくとも一方の端部に設けられた第２の指掛部とを備える、包装袋。
【請求項２】
前記第２の指掛部の幅は、前記第１の指掛部の幅よりも小さい、請求項１に記載の包装袋。
【請求項３】
前記第２の指掛部は、前記取手部の前記一方の端部側の端から所定の間隔で配置されている、請求項１または２に記載の包装袋。
【請求項４】
前記所定の間隔は、６〜３０ｍｍである、請求項３に記載の包装袋。
【請求項５】
前記第２の指掛部の幅は、１５〜３５ｍｍである、請求項１〜４のいずれか１項に記載の包装袋。
【請求項６】
前記第１の指掛部の幅は、３０〜５０ｍｍである、請求項１〜５のいずれか１項に記載の包装袋。
【請求項７】
前記第１の指掛部の前記第２の指掛部に近接する端と前記第２の指掛部の前記第１の指掛部に近接する端との間隔が１０〜３５ｍｍである、請求項１〜６のいずれか１項に記載の包装袋。
【請求項８】
前記第１の指掛部及び第２の指掛部にミシン目が設けられている、請求項１〜７のいずれか１項に記載の包装袋。
【請求項９】
前記取手部には、前記第１の指掛部及び第２の指掛部を覆う補強部が設けられている、請求項１〜８のいずれか１項に記載の包装袋。
【請求項１０】
嵩張る物品を収容する本体部と、前記本体部に設けられた取手部とを有する包装袋であって、
前記取手部の中央部に設けられた第１の指掛部と、
前記取手部の一方の端部に設けられた第２の指掛部と、
前記取手部の他方の端部に設けられた第３の指掛部とを備える、包装袋。
【発明の詳細な説明】
【技術分野】
【０００１】
本発明は、包装袋に関する。
【背景技術】
【０００２】
トイレットペーパー等の衛生薄葉紙は、ポリエチレン等のフィルムで形成された包装袋に複数収容された状態で流通する。この包装袋には、衛生薄葉紙の購入者が持ち帰る際に、衛生薄葉紙を持つことができるように指掛用の穴を備える取手部が設けられている（図８（Ａ）参照）。また、指掛用の穴は、図９に示すように、取手部の中央部に設けられている。
【０００３】
なお、図９（Ａ）は、ロール状のトイレットペーパー等を収容する包装袋の取手部を示し、図９（Ｂ）は、ロール状のキッチンペーパー等の軽量のものを収容する包装袋の取手部を示し、図９（Ｃ）は、図９（Ａ）の取手部を変形したものである。
【０００４】
特開２００５−８２４８号公報（特許文献１）には、トイレットペーパー等の衛生薄葉紙を収容する包装袋が開示されている。この包装袋では、取手部に指掛け用の穴が開けられている。
【先行技術文献】
【特許文献】
【０００５】
【特許文献１】特開２００５−８２４８号公報
【発明の概要】
【発明が解決しようとする課題】
【０００６】
しかしながら、特許文献１に開示された従来の包装袋は、トイレットペーパー等の商品が収容された状態で嵩張るため、例えば片手で同時に２つの包装袋を持ち運ぶ場合、２つの取手部の間隔が広いため、指に負担がかかる。特に近年は長尺用トイレットペーパーの市場が活発化しており、このような長尺状のトイレットペーパーが収容された包装袋はさらに嵩張るため、指への負担が大きくなる（図８（Ｂ）、（Ｃ）参照）。
【０００７】
本発明の目的は、嵩張る物品が収容された複数の包装袋を片手で持つ場合でも、指への負担が少ない包装袋を提供することにある。
【課題を解決するための手段】
【０００８】
上記課題を解決するため、本発明の第１の態様は、嵩張る物品を収容する本体部と、前記本体部に設けられた取手部とを有する包装袋であって、前記取手部の中央部に設けられた第１の指掛部と、前記取手部の両端部の少なくとも一方の端部に設けられた第２の指掛部とを備える。
【０００９】
包装袋を構成する本体部および取手部は、いずれも樹脂等のフィルムで形成することができる。また、嵩張る物品は、特に限定されるものではない。例えば、ロール状のトイレットペーパー等の衛生薄葉紙を挙げることができる。本体部に物品を収容する場合は、１つの物品を収納する場合だけでなく、複数の物品を収納する場合も含まれる。
【００１０】
指掛部は、物品の購入者（以下ユーザという）が取手部を持つ際に、指を掛ける部分である。指掛部は取手部を貫通する孔で形成することができる。なお、取手部の中央部に設けられる第１の指掛部は、複数の孔で形成してもよい。また、取手部を貫通する孔は、取手部に最初から設けられていてもよく、また予め切り込み等を入れておきユーザが物品の購入時に該切り込みを破って自ら開けられるものでもよい。
【００１１】
第１の態様によれば、取手部の中央部に設けられた第１の指掛部に対して取手部の両端部の少なくとも一方の端部に第２の指掛部が設けられている。
【００１２】
そのため、嵩張る物品が収容された包装袋（以下、収容包装袋という）を１つ持つ場合、ユーザは、取手部の中央部に設けられた第１の指掛部に指を掛けることにより、収容包装袋を持つことができる。
【００１３】
また、この嵩張る収容包装袋を片手で２つ持つ場合、ユーザは２つの収容包装袋の第２の指掛部にそれぞれ指を掛けることにより、第２の指掛部が取手部の端部側に形成されているため、ユーザの指への負担を小さくすることができる。また、２つの収容包装袋の持ち運びが容易になる。
【００１４】
本発明の第２の態様では、前記第２の指掛部の幅は、前記第１の指掛部の幅よりも小さくなっている。ここで指掛部の幅とは、取手部の長手方向の幅を意味する。このように第２の指掛部の幅を第１の指掛部の幅よりも小さくすることにより、第１の指掛部を設ける領域を確保することができる。
【００１５】
また、第１の指掛部の寸法が第２の指掛部の寸法に対して大きくなるため、ユーザは収容包装袋を１つ持つ場合に取手部の中央部（第１の指掛部）を容易に持つことができ、収容包装袋を片手で２つ持つ場合は取手部の端部（第２の指掛部）を容易に持つことができる。
【００１６】
第３の態様では、前記第２の指掛部は、前記取手部の前記一方の端部側の端から所定の間隔で配置されている。所定の間隔は、ユーザが片手で２つの収容包装袋を持った場合に取手部が破損せずかつ指に負担がかからない間隔にするのが好ましい。
【００１７】
そこで、第４の態様では、取手部が破損せずかつ指に負担がかからないようにするため、前記所定の間隔を６〜３０ｍｍとすることができる。なお、所定の間隔が６ｍｍ未満の場合は、取手部が破損し易くなり、所定の間隔が３０ｍｍを超える場合は、片手で２つ収容包装袋が持ち難くなる。また、所定の間隔は、好ましくは８〜２０ｍｍであり、より好ましくは８〜１５ｍｍである。
【００１８】
第５の態様では、前記第２の指掛部の幅を、１５〜３５ｍｍにすることができる。第２の指掛部をこのような幅寸法にすることにより、ユーザは、第２の指掛部に１本から３本の指を掛けることができる。そのため、片手で２つの収容包装袋を持つ場合に持ちやすくなる。また、１つの収容包装袋を持つ場合は、第２の指掛部に指を掛けると持ち難いため、第１の指掛部に指を掛けるようにユーザに促すことができる。
【００１９】
第６の態様では、前記第１の指掛部の幅を、３０〜５０ｍｍにすることができる。第１の指掛部をこのような幅寸法にすることにより、ユーザは、第１の指掛部に３本から４本の指を掛けることができる。そのため、１つの収容包装袋を持つ場合、ユーザは取手部の中央部を持つことができるので、収容包装袋が持ち易くなる。
【００２０】
第７の態様では、前記第１の指掛部の前記第２の指掛部に近接する端と前記第２の指掛部の前記第１の指掛部に近接する端との間隔が１０〜３５ｍｍになっている。第１の指掛部の第２の指掛部に近接する端とは、第１の指掛部の両端のうち第２の指掛部側に位置する端である。また、第２の指掛部の第１の指掛部に近接する端とは、第２の指掛部の両端のうち第１の指掛部側に位置する端を意味する。
【００２１】
このような間隔で第１の指掛部と第２の指掛部とを配置することにより、取手部が破損しにくくなり、また第１の指掛部と第２の指掛部をそれぞれの機能を低下させない適当な位置に配置することができる。なお、該間隔が１０ｍｍ未満の場合は、取手部が破損して第１の指掛部と第２の指掛部とが連結し易くなる。また該間隔が３５ｍｍを超える場合は、取手部の中央部に第１の指掛部を設ける領域が確保し難くなる。
【００２２】
第８の態様では、前記第１の指掛部及び第２の指掛部にミシン目が設けられている。ミシン目は、各指掛部の周囲の全てまたは一部を囲むように設けることができる。このようにミシン目を設けることにより、購入時に該ミシン目を破ることで収容包装袋の取手部に指掛用の孔を開けることができる。
【００２３】
なお、指掛部の一部を囲むようにミシン目を設ける場合は、指掛部の上端の一部にミシン目を入れないようにするのが好ましい。このようにすると、切り離された部分は、依然として一部が取手部と連結されているため、取手部から完全に切り離され場合に必要となる処分を省くことができる。
【００２４】
第９の態様では、前記取手部には、前記第１の指掛部及び第２の指掛部を覆う補強部が設けられている。この補強部は、樹脂等のフィルムで形成することができる。このような補強部を設けることにより、取手部の指掛部が設けられる部分を補強することができるため、ユーザが収容包装袋を持つ場合に取手部の強度を高めることができる。特に、第２の指掛部に片手の指を掛けて２つの収容包装袋を持つ場合でも、取手部が破損しにくくなる。
【００２５】
第１０の態様では、前記取手部の中央部に設けられた第１の指掛部と、前記取手部の一方の端部に設けられた第２の指掛部と、前記取手部の他方の端部に設けられた第３の指掛部とを備える。このように取手部の両端部にそれぞれ指掛部を設けることにより、ユーザは、収容包装袋の向きに拘束されず、２つの収容包装袋を片手で持つことができる。
【発明の効果】
【００２６】
本発明の一態様によれば、嵩張る物品が収容された複数の包装袋を片手で持つ場合でも、指への負担が少ない包装袋を提供することができる。
【図面の簡単な説明】
【００２７】
【図１】本発明の実施形態に係る包装袋を示す図である。
【図２】本発明の実施形態に係る包装袋の取手部を示す図である。
【図３】本発明の実施形態に係る包装袋の取手部に補強部を設けた態様を示す図である。
【図４】本発明の実施形態に係る包装袋の使用時の状態を示す図であり、（Ａ）は１つの包装袋を持つ場合を示す図であり、（Ｂ）は２つの包装袋を持つ場合を示す図である。
【図５】本発明の実施形態に係る包装袋の取手部（第１変形例）を示す図である。
【図６】本発明の実施形態に係る包装袋の取手部（第２変形例）を示す図である。
【図７】包装袋の試験方法を示す図である。
【図８】従来の包装袋を示す図であって、（Ａ）は１つの包装袋を持つ場合を示す図であり、（Ｂ）、（Ｃ）は２つの包装袋を持つ場合を示す図である。
【図９】（Ａ）〜（Ｃ）は、従来の包装袋の取手部を示す図である。
【発明を実施するための形態】
【００２８】
以下、本発明の実施の形態について、図面を参照しながら詳細に説明する。図１は、本発明の実施形態に係る包装袋を示す図である。図２は、本発明の実施形態に係る包装袋の取手部を示す図である。なお、以下に示す説明では、各図において共通する部分については、同一の符号を付して説明を省略する場合がある。
【００２９】
図１において、符号１は、包装袋である。包装袋１は、袋本体３と取手５を備えている。この包装袋１は、本発明の包装袋１の一例である。
【００３０】
袋本体３には、嵩張る物品として図示しないロール状のトイレットペーパーを１２個収容することができる。袋本体３は、ポリエチレン等の樹脂フィルムで形成されている。この袋本体３は、本発明の包装袋の一部を構成する本体部の一例である。
【００３１】
取手５は、袋本体３の上端部にシール７により接着されている。取手５は、袋本体３と同様に、ポリエチレン等の樹脂フィルムで形成されている。なお、取手５を形成する材質は、袋本体３を形成した樹脂フィルムと異なる材質でもよい。この場合、材質は樹脂に限らず、紙等の他の材質を用いても良い。この取手５は、本発明の包装袋の一部を構成する取手部の一例である。
【００３２】
また、取手５は、２枚の樹脂フィルムがシール７で接着されている。また、取手５には、取手５を取り付けた袋本体３が包装袋１の製造時または流通時に破裂しないように、袋本体３と連通する図示しない空気穴が設けられている。
【００３３】
取手５には、図２に示すように、２つの指掛部５１、５２が設けられている。指掛部５１は、取手５の中央部Ｃに配置されている。また指掛部５２は、取手部の両端部のうちの一方の端部Ｅに配置されている。指掛部５１、５２は、ユーザＰが取手５を持つ際にユーザＰ（図４参照）の指が掛かるように形成されている。なお、指掛部５１は、本発明において取手部に設けられる第１の指掛部の一例であり、指掛部５２は、本発明において取手部に設けられる第２の指掛部の一例である。
【００３４】
また、図３に示すように、取手５には、指掛部５１及び指掛部５２を覆う補強フィルム９が設けられている。この補強フィルム９は、ポリエチレン等の樹脂フィルムで形成することができる。補強フィルム９は、取手５の指掛部５１、５２が設けられる部分を補強することができる。
【００３５】
このように、ユーザＰが包装袋１を持つ場合に取手５の強度を高めることができるため、特に、取手５の端部Ｅに設けられた指掛部５２に片手の指を掛けて２つの包装袋を持つ場合でも、取手部が破損しにくくなる。なお、補強フィルム９は、本発明の包装袋において、取付部に設けられる補強部の一例である。
【００３６】
また、取手５には、予め切り込み（ミシン目Ｍ）が入れてあり、ユーザＰがトイレットぺーパーの購入時にこのミシン目Ｍを破って自ら開けられるようになっている。このミシン目Ｍが破られた後、指掛部５１、５２は取手５を貫通する孔となる。ミシン目Ｍは、図２に示すように指掛部５１、５２の周囲の上端の一部には入っていない。このようにすると、切り離された部分は、一部が取手５に連結されたままになる。もし、取手５から完全に切り離された場合は、切り離された部分は破棄する等の処分が必要となるが、一部を連結したままにすればその必要はなくなる。
【００３７】
本例では、まず取手５の中央部Ｃに指掛部５１が設けられているため、図４（Ａ）に示すように、ロール状のトイレットペーパー等の嵩張る物品が収容された状態で１つの包装袋１を持つ場合、ユーザＰは、取手５の中央部Ｃに設けられた指掛部５１に指を掛けることにより、包装袋１を安定して持つことができる。
【００３８】
なお、嵩張る物品としては、トイレットペーパーに限らず、例えばロール状のキッチンペーパーや、赤ちゃん用や介護用の紙おむつ、生理用ナプキン等がある。
【００３９】
また、取手５の中央部Ｃに設けられた指掛部５１に対してさらに取手の一方の端部Ｅに指掛部５２が設けられている。そのため、図４（Ｂ）に示すように、包装袋１を片手で２つ持つ場合でも、図８（Ｂ）、（Ｃ）に示すように２つの包装袋１を大きな角度を付けて持つことなく、２つの包装袋１のそれぞれの指掛部５２にそれぞれ指を掛けて持つことができる。これにより、ユーザＰの指への負担が小さくなる。また、２つの包装袋の持ち運びが容易になる。
【００４０】
図２に示すように、取手５の長手方向に見て、指掛部５２の幅は、指掛部５１の幅よりも小さくなっている。また、指掛部５２の幅を指掛部５１の幅よりも小さくなっているため、取手５の中央部Ｃに指掛部５１を設ける領域を確保することができる。また、指掛部５１の寸法が指掛部５２の寸法に対して大きくなるため、ユーザＰは包装袋を１つ持つ場合に取手５の中央部Ｃ（指掛部５１）を容易に持つことができ、包装袋１を片手で２つ持つ場合は取手５の端部Ｅ（指掛部５２）を容易に持つことができる。
【００４１】
本例では、ユーザＰが片手で２つの包装袋１を持った場合に、取手５が破損せずかつユーザＰの指に負担がかからないように、取手５の一方の端部Ｅ側の端から所定の間隔で配置されている。具体的には、該所定の間隔を６〜３０ｍｍに設定することができる。なお、所定の間隔が６ｍｍ未満の場合は、取手５が破損し易くなる。また、所定の間隔が３０ｍｍを超える場合は、片手で２つ包装袋１を持つのが困難になる。なお、所定の間隔は、好ましくは８〜２０ｍｍであり、より好ましくは８〜１５ｍｍである。
【００４２】
また、指掛部５２の幅は、１５〜３５ｍｍに設定されている。この指掛部５２の幅寸法は、ユーザＰが１本から３本の指を掛けることができる幅寸法となる。そのため、片手で２つの包装袋１を持つ場合に持ちやすくなるが、１つの包装袋１を持つ場合に、指掛部５２に指を掛けるようとすると持ち難いため、指掛部５１に指を掛けるようにユーザＰに促すことができる。
【００４３】
また、指掛部５１の幅は、３０〜５０ｍｍに設定されている。この指掛部５１の幅寸法は、ユーザＰが３本から４本の指を掛けることができる幅寸法となる。そのため、１つの包装袋１を持つ場合に、ユーザＰは取手５の中央部Ｃが持ち易くなり、包装袋を安定した状態で持ち運ぶことができる。
【００４４】
また、指掛部５１の指掛部５２に近接する端と指掛部５２の指掛部５１に近接する端との間隔（指掛部５１と指掛部５２との間隔）は、１０〜３５ｍｍに設定されている。指掛部５１の両端のうち指掛部５２側に位置する端と、指掛部５２の両端のうち指掛部５１側に位置する端との間隔がこのような間隔になるように指掛部５１と指掛部５２とを配置すると、取手５は破損しにくくなる。また指掛部５１の機能（包装袋１が１つの場合にユーザＰに取手５の中央部Ｃを持たせる機能）と指掛部５２の機能（包装袋１が２つの場合にユーザＰに取手５の端部Ｅを持たせる機能）を低下させない位置に配置することができる。
【００４５】
なお、該間隔が１０ｍｍ未満になる場合は、該間隔部分が破損し易くなる。また、該間隔が３５ｍｍを超えると、取手５の中央部Ｃに指掛部５１を設ける領域が確保し難くなる。
【００４６】
図５及び図６は、包装袋の取手部の変形例を示す。図５の取手５で、取手５の中央部Ｃに設けられた指掛部５１に対して、取手５の一方の端部Ｅ１に指掛部５２が設けられ、取手５の他方の端部Ｅ２に指掛部５３が設けられている。すなわち、取手５の両端部Ｅ１、Ｅ２にそれぞれ指掛部が設けられている。
【００４７】
このように両端部に指掛部を設けることにより、ユーザＰは、２つの包装袋１を片手で持つ場合に、２つの包装袋１の端部の指掛部を片手で持てるように揃える必要がないので、包装袋１の向きに拘束されず、２つの包装袋１を片手で持つことができる。なお、指掛部５３は、本発明において取手部に設けられる第３の指掛部の一例である。
【００４８】
なお、図５では補強フィルム９は図示しないが、図５に示すように取手５の中央部Ｃ及び両端部Ｅ１、Ｅ２に３つの指掛部を設ける場合、補強フィルム９は取手５の全体を覆うように形成される。また、シール７による接着部分は、取手５の補強フィルム９で覆われた部分の外縁に位置する。
【００４９】
また、図６の取手５では、取手５の中央部Ｃに設けられた指掛部５１が２つの指掛部５１Ａ、５１Ｂで形成されている。そのため、ユーザＰは、１つの包装袋１を持つ場合に、ユーザＰの体格に合わせて、取手５の中央部Ｃに設けられた２つの指掛部５１Ａ、５１Ｂに指を入れることができる。
【００５０】
なお、図６でも補強フィルム９は図示しないが、図６に示すように取手５の中央部Ｃ及び端部Ｅ１に指掛部を設け、取手５の端部Ｅ２に指掛部を設けない場合、補強フィルム９は取手５の中央部Ｃ及び端部Ｅ１を覆うように形成すればよい。すなわち、補強フィルム９は、取手５の端部Ｅ２のように指掛部を設けない部分には形成しなくてもよい。
【実施例】
【００５１】
以下、本発明の実施形態について、実施例と比較例を参照しながら説明する。
【００５２】
［実施例１］
実施例１では、包装袋１は、厚みが２５μｍのポリエチレンのフィルムで形成した。取手５の補強フィルム９は、厚み７０μｍのポリエチレンフィルムで形成した。指掛部５１及び指掛部５２はミシン目Ｍで形成した。ミシン目Ｍは、各指掛部の上端の一部を残すように各指掛部の周囲に形成した。
【００５３】
表１に示すように、取手５の中央部Ｃに位置する指掛部５１は、長手方向の幅を４０ｍｍとし、取手５の一方の端部Ｅ（図１、図２参照）に位置する指掛部５２は、長手方向の幅を３０ｍｍとした。また、指掛部５１と指掛部５２との間隔（指掛部５１、５２間の距離）を３５ｍｍとした。さらに、取手５の一方の端から指掛部５２までの距離を８ｍｍとした。
【００５４】
［実施例２］
実施例２では、指掛部５１、５２間の距離を２８ｍｍとし、取手５の一方の端から指掛部５２までの距離を１５ｍｍとした以外は、実施例１と同じ条件で包装袋を作製した。
【００５５】
［実施例３］
実施例３では、指掛部５１、５２間の距離を２３ｍｍとし、取手５の一方の端から指掛部５２までの距離を２０ｍｍとした以外は、実施例１と同じ条件で包装袋を作製した。
【００５６】
［比較例１］
比較例１では、指掛部５１、５２間の距離を３８ｍｍとし、取手５の一方の端から指掛部５２までの距離を５ｍｍとした以外は、実施例１と同じ条件で包装袋を作製した。
【００５７】
［比較例２］
比較例２では、指掛部５１、５２間の距離を８ｍｍとし、取手５の一方の端から指掛部５２までの距離を３５ｍｍとした以外は、実施例１と同じ条件で包装袋を作製した。
【００５８】
［比較例３］
比較例３は、図８に示す従来品の態様であり、本実施形態における指掛部５１、５２に相当する指掛部は存在しない。また、取手５の一方の端から指掛部５２までの距離を５４ｍｍとした。それ以外は、実施例１と同じ条件で包装袋を作製した。
【００５９】
上述の実施例１〜実施例３、比較例１〜３について、包装袋の耐久性及び持ち易さを確認した。包装袋の耐久性は、下記の振り子試験により評価した。また包装袋の持ち易さは、下記の指掛試験により評価した。評価結果を、表１に示す。
【００６０】
［振り子試験］
図７に示すように、１２個のロール状の「トイレットペーパーを収納した１つの包装袋１の指掛部５２にユーザＰが片手の指を２本掛けて持ち、１８０°の範囲で振り子のように１０往復移動させた。このとき、包装袋１の耐久性を以下の基準で評価した。なお、振り子試験は、各実施例及び比較例につき５回の試験を行った。
○：５回中１回も破損が確認できなかった
×：５回中１回以上破損を確認した
【００６１】
［指掛試験］
１２個のロール状のトイレットペーパーを収納した２つの包装袋１の指掛部５２にユーザＰが片手の指を２本ずつ掛けて持ち、２つ包装袋１を片手で同時に持った場合の持ち易さを確認した。この場合、一方の包装袋１の指掛部５２には人差し指と中指を掛け、他方の包装袋１の指掛部５２に薬指と小指を掛け、実施例及び比較例ごとに１０人により試験を行った結果を点数化し、その平均値から持ち易さを以下の基準で評価した。
【００６２】
５点：非常に持ち易い
４点：持ち易い
３点：持ち易くもなく、持ち難くもない
２点：持ち難い
１点：非常に持ち難い
【００６３】
【表１】
2018052558.tif 000003
表１より、取手５の一方の端から５ｍｍ離れた位置に指掛部５２を配置した場合（比較例１）、持ち易さの試験では持ち易い結果となったが、振り子試験では包装袋が破れる結果となった。また、取手５の一方の端から３５ｍｍ以上離れた位置に指掛部５２を配置した場合（比較例２、３）、振り子試験では包装袋が破れなかったが、持ち易さの試験では、持ち難い結果となった。
【００６４】
これに対して、取手５の一方の端から８〜２０ｍｍ離れた位置に指掛部５２を配置した場合（実施例１〜実施例３）、持ち易さの試験では片手で２つの包装袋１を持った場合でも、概ね持ち易い結果となった。また、振り子試験では、いずれも包装袋が破れなかった。
【００６５】
以上、本発明の実施形態について説明したが、本発明は特定の実施形態に限定されるものではなく、特許請求の範囲に記載された発明の範囲内において、種々の変形、変更が可能である。
【符号の説明】
【００６６】
１  包装袋
３  袋本体
５  取手
９  補強フィルム
５１、５１Ａ、５１Ｂ、５２、５３  指掛部
【図１】
2018052558.tif 000004
【図２】
2018052558.tif 000005
【図３】
2018052558.tif 000006
【図４】
2018052558.tif 000007
【図５】
2018052558.tif 000008
【図６】
2018052558.tif 000009
【図７】
2018052558.tif 000010
【図８】
2018052558.tif 000011
【図９】
2018052558.tif 000012